(57)【特許請求の範囲】
【請求項１】
端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムであって、
前記端末は、
前記遠隔側の端末のディスプレイ表示解像度情報を記憶する記憶手段と、
前記ディスプレイ表示解像度情報に基づいて、前記キャプチャーデータの解像度変換を前記表示画面の全体について行う解像度変換手段と、
前記解像度変換手段により解像度変換されたキャプチャーデータを、前記遠隔側の端末に送信する送信手段と、
を備えることを特徴とするデータ会議システム。
【請求項２】
前記端末は、
前記遠隔側の端末にディスプレイ表示解像度読出し要求を送信し、前記遠隔側の端末からの返答を受信する受信手段を備え、当該受信手段により受信した前記返答の内容を解析し、解析結果を前記遠隔側の端末のディスプレイ表示解像度情報として前記記憶手段に記憶する
ことを特徴とする請求項１に記載のデータ会議システム。
【請求項３】
前記遠隔側の端末は複数であり、前記解像度変換手段は、各遠隔側の端末のディスプレイ表示解像度情報に基づいて、前記キャプチャーデータの解像度変換を各遠隔側の端末毎に行う
ことを特徴とする請求項２に記載のデータ会議システム。
【請求項４】
前記端末は、前記解像度変換手段により解像度変換されたキャプチャーデータを圧縮するデータ圧縮手段を備え、
前記送信手段は、前記データ圧縮手段により圧縮されたキャプチャーデータを、前記遠隔側の端末に送信する
ことを特徴とする請求項１ないし３のうちいずれか１項に記載のデータ会議システム。
【請求項５】
前記解像度変換手段は、前記キャプチャーデータをビットマップ形式でメモリエリアに展開し、当該ビットマップ形式のキャプチャーデータに対して前記解像度変換を行う
ことを特徴とする請求項１ないし４のうちいずれか１項に記載のデータ会議システム。
【請求項６】
前記端末と前記遠隔側の端末はIP接続されていることを特徴とする請求項１ないし５のうちいずれか１項に記載のデータ会議システム。
【請求項７】
前記送信手段は、前記アプリケーションにおいてページ送り指示が行われたタイミングで、前記解像度変換されたキャプチャーデータを前記遠隔側の端末に送信する
ことを特徴とする請求項１ないし６のうちいずれか1項に記載のデータ会議システム。
【請求項８】
前記送信手段は、バッファに格納された前時点のキャプチャーデータと現時点のキャプチャーデータとを所定のタイミングで比較することにより、前記解像度変換されたキャプチャーデータを前記遠隔側の端末に送信するタイミングを検出する
ことを特徴とする請求項１ないし６のうちいずれか1項に記載のデータ会議システム。
【請求項９】
端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムであって、
前記端末は、
前記遠隔側の端末のディスプレイ表示解像度情報を記憶する記憶手段と、
前記ディスプレイ表示解像度情報に基づいて、前記キャプチャーデータの解像度変換を行う解像度変換手段と、
前記解像度変換手段により解像度変換されたキャプチャーデータを、前記遠隔側の端末に送信する送信手段と、を備え、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記遠隔側の端末に送信する
ことを特徴とするデータ会議システム。
【請求項１０】
前記解像度変換手段は、前記表示画面を分割して得られる複数のエリアのうちの特定のエリアに変化点が発生したときに、前記キャプチャーデータの解像度変換を、前記表示画面の全体に対して行い、前記送信手段は、当該解像度変換されたキャプチャーデータを前記遠隔側の端末に送信する
ことを特徴とする請求項１ないし８のうちいずれか１項に記載のデータ会議システム。
【請求項１１】
前記記憶手段には、前記ディスプレイ表示解像度情報に対応付けて、前記キャプチャーデータの変換に用いる解像度が記憶されており、前記解像度変換手段は、当該記憶手段に記憶された解像度を用いて前記キャプチャーデータの解像度変換を行う
ことを特徴とする請求項１ないし１０のうちいずれか１項に記載のデータ会議システム。
【請求項１２】
端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムにおける端末であって、
前記遠隔側の端末のディスプレイ表示解像度情報を記憶する記憶手段と、
前記ディスプレイ表示解像度情報に基づいて、前記キャプチャーデータの解像度変換を前記表示画面の全体について行う解像度変換手段と、
前記解像度変換手段により解像度変換されたキャプチャーデータを、前記遠隔側の端末に送信する送信手段と、
を備えることを特徴とする端末。
【請求項１３】
前記遠隔側の端末にディスプレイ表示解像度読出し要求を送信し、前記遠隔側の端末からの返答を受信する受信手段を備え、当該受信手段により受信した前記返答の内容を解析し、解析結果を前記遠隔側の端末のディスプレイ表示解像度情報として前記記憶手段に記憶する
ことを特徴とする請求項１２に記載の端末。
【請求項１４】
前記遠隔側の端末は複数であり、前記解像度変換手段は、各遠隔側の端末のディスプレイ表示解像度情報に基づいて、前記キャプチャーデータの解像度変換を各遠隔側の端末毎に行う
ことを特徴とする請求項１３に記載の端末。
【請求項１５】
前記端末は、前記解像度変換手段により解像度変換されたキャプチャーデータを圧縮するデータ圧縮手段を備え、
前記送信手段は、前記データ圧縮手段により圧縮されたキャプチャーデータを、前記遠隔側の端末に送信する
ことを特徴とする請求項１２ないし１４のうちいずれか１項に記載の端末。
【請求項１６】
前記解像度変換手段は、前記キャプチャーデータをビットマップ形式でメモリエリアに展開し、当該ビットマップ形式のキャプチャーデータに対して前記解像度変換を行う
ことを特徴とする請求項１２ないし１５のうちいずれか１項に記載の端末。
【請求項１７】
前記送信手段は、前記アプリケーションにおいてページ送り指示が行われたタイミングで、前記解像度変換されたキャプチャーデータを前記遠隔側の端末に送信する
ことを特徴とする請求項１２ないし１６のうちいずれか１項に記載の端末。
【請求項１８】
前記送信手段は、バッファに格納された前時点のキャプチャーデータと現時点のキャプチャーデータとを所定のタイミングで比較することにより、前記解像度変換されたキャプチャーデータを前記遠隔側の端末に送信するタイミングを検出する
ことを特徴とする請求項１２ないし１６のうちいずれか１項に記載の端末。
【請求項１９】
端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムにおける端末であって、
前記遠隔側の端末のディスプレイ表示解像度情報を記憶する記憶手段と、
前記ディスプレイ表示解像度情報に基づいて、前記キャプチャーデータの解像度変換を行う解像度変換手段と、
前記解像度変換手段により解像度変換されたキャプチャーデータを、前記遠隔側の端末に送信する送信手段と、を備え、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記遠隔側の端末に送信する
ことを特徴とする端末。
【請求項２０】
前記解像度変換手段は、前記表示画面を分割して得られる複数のエリアのうちの特定のエリアに変化点が発生したときに、前記キャプチャーデータの解像度変換を、前記表示画面の全体に対して行い、前記送信手段は、当該解像度変換されたキャプチャーデータを前記遠隔側の端末に送信する
ことを特徴とする請求項１２ないし１８のうちいずれか１項に記載の端末。
【請求項２１】
前記記憶手段には、前記ディスプレイ表示解像度情報に対応付けて、前記キャプチャーデータの変換に用いる解像度が記憶されており、前記解像度変換手段は、当該記憶手段に記憶された解像度を用いて前記キャプチャーデータの解像度変換を行う
ことを特徴とする請求項１２ないし２０のうちいずれか１項に記載の端末。
【請求項２２】
端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムにおける端末に処理を実行させるプログラムを記録した記録媒体であって、
前記端末は、前記遠隔側の端末のディスプレイ表示解像度情報を記憶する記憶手段を備えており、前記端末を、
前記ディスプレイ表示解像度情報に基づいて、前記キャプチャーデータの解像度変換を前記表示画面の全体について行う解像度変換手段、
前記解像度変換手段により解像度変換されたキャプチャーデータを、前記遠隔側の端末に送信する送信手段、
として機能させるためのプログラムを記録した記録媒体。
【請求項２３】
前記プログラムは、前記端末を、前記解像度変換手段により解像度変換されたキャプチャーデータを圧縮するデータ圧縮手段として更に機能させ、
前記送信手段は、前記データ圧縮手段により圧縮されたキャプチャーデータを、前記遠隔側の端末に送信する
ことを特徴とする請求項２２に記載のプログラムを記録した記録媒体。
【請求項２４】
前記解像度変換手段は、前記キャプチャーデータをビットマップ形式でメモリエリアに展開し、当該ビットマップ形式のキャプチャーデータに対して前記解像度変換を行う
ことを特徴とする請求項２２又は２３に記載のプログラムを記録した記録媒体。
【請求項２５】
前記送信手段は、前記アプリケーションにおいてページ送り指示が行われたタイミングで、前記解像度変換されたキャプチャーデータを前記遠隔側の端末に送信する
ことを特徴とする請求項２２ないし２４のうちいずれか１項に記載のプログラムを記録した記録媒体。
【請求項２６】
前記送信手段は、バッファに格納された前時点のキャプチャーデータと現時点のキャプチャーデータとを所定のタイミングで比較することにより、前記解像度変換されたキャプチャーデータを前記遠隔側の端末に送信するタイミングを検出する
ことを特徴とする請求項２２ないし２４のうちいずれか１項に記載のプログラムを記録した記録媒体。
【請求項２７】
端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムにおける端末に処理を実行させるプログラムを記録した記録媒体であって、
前記端末は、前記遠隔側の端末のディスプレイ表示解像度情報を記憶する記憶手段を備えており、前記端末を、
前記ディスプレイ表示解像度情報に基づいて、前記キャプチャーデータの解像度変換を行う解像度変換手段、
前記解像度変換手段により解像度変換されたキャプチャーデータを、前記遠隔側の端末に送信する送信手段、として機能させるためのプログラムを記録した記録媒体であり、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記遠隔側の端末に送信する
ことを特徴とするプログラムを記録した記録媒体。
【請求項２８】
前記解像度変換手段は、前記表示画面を分割して得られる複数のエリアのうちの特定のエリアに変化点が発生したときに、前記キャプチャーデータの解像度変換を、前記表示画面の全体に対して行い、前記送信手段は、当該解像度変換されたキャプチャーデータを前記遠隔側の端末に送信する
ことを特徴とする請求項２２ないし２６のうちいずれか１項に記載のプログラムを記録した記録媒体。
【請求項２９】
前記記憶手段には、前記ディスプレイ表示解像度情報に対応付けて、前記キャプチャーデータの変換に用いる解像度が記憶されており、前記解像度変換手段は、当該記憶手段に記憶された解像度を用いて前記キャプチャーデータの解像度変換を行う
ことを特徴とする請求項２２ないし２８のうちいずれか１項に記載のプログラムを記録した記録媒体。
【請求項３０】
端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムであって、
前記端末は、
前記他の端末のディスプレイ表示解像度情報を記憶する記憶手段と、
前記ディスプレイ表示解像度情報に基づいて、前記キャプチャーデータの解像度変換を前記表示画面の全体について行う解像度変換手段と、
前記解像度変換手段により解像度変換されたキャプチャーデータを、前記他の端末に送信する送信手段と、
を備えることを特徴とするデータ会議システム。
【請求項３１】
端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムであって、
前記端末は、
前記他の端末のディスプレイ表示解像度情報を記憶する記憶手段と、
前記ディスプレイ表示解像度情報に基づいて、前記キャプチャーデータの解像度変換を行う解像度変換手段と、
前記解像度変換手段により解像度変換されたキャプチャーデータを、前記他の端末に送信する送信手段と、を備え、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記他の端末に送信する
ことを特徴とするデータ会議システム。
【請求項３２】
端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末であって、
前記他の端末のディスプレイ表示解像度情報を記憶する記憶手段と、
前記ディスプレイ表示解像度情報に基づいて、前記キャプチャーデータの解像度変換を前記表示画面の全体について行う解像度変換手段と、
前記解像度変換手段により解像度変換されたキャプチャーデータを、前記他の端末に送信する送信手段と、
を備えることを特徴とする端末。
【請求項３３】
端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末であって、
前記他の端末のディスプレイ表示解像度情報を記憶する記憶手段と、
前記ディスプレイ表示解像度情報に基づいて、前記キャプチャーデータの解像度変換を行う解像度変換手段と、
前記解像度変換手段により解像度変換されたキャプチャーデータを、前記他の端末に送信する送信手段と、を備え、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記他の端末に送信する
ことを特徴とする端末。
【請求項３４】
端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末に処理を実行させるプログラムを記録した記録媒体であって、
前記端末は、前記他の端末のディスプレイ表示解像度情報を記憶する記憶手段を備えており、前記端末を、
前記ディスプレイ表示解像度情報に基づいて、前記キャプチャーデータの解像度変換を前記表示画面の全体について行う解像度変換手段、
前記解像度変換手段により解像度変換されたキャプチャーデータを、前記他の端末に送信する送信手段、
として機能させるためのプログラムを記録した記録媒体。
【請求項３５】
端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末に処理を実行させるプログラムを記録した記録媒体であって、
前記端末は、前記他の端末のディスプレイ表示解像度情報を記憶する記憶手段を備えており、前記端末を、
前記ディスプレイ表示解像度情報に基づいて、前記キャプチャーデータの解像度変換を行う解像度変換手段、
前記解像度変換手段により解像度変換されたキャプチャーデータを、前記他の端末に送信する送信手段、として機能させるためのプログラムを記録した記録媒体であり、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記他の端末に送信する
ことを特徴とするプログラムを記録した記録媒体。
【発明の詳細な説明】
【０００１】
【発明の属する技術分野】
本発明は、データ会議システムに関し、特に、データ会議システムにおける端末上の共有画面を迅速に表示させる技術に関する。
【０００２】
【従来の技術】
従来からあるテレビ会議システムではＮＴＳＣ、ＰＡＬ等の映像信号方式を吸収し、かつ実用表示画質と動きをバランスさせるためにアナログ映像信号の各フレームを３５２×２８８ビットのデジタルデータに変換・圧縮伝送し受信側でＴＶ信号方式にあった映像に戻す処理が行われ、音声も標準化に合致したＣＯＤＥＣ方式が複数種類具備されている。
【０００３】
昨今、映像音声を主に利用したテレビ会議システムの他に、コンピュータデータ又はアプリケーション共有を利用した遠隔データ会議システムの利用が普及している。例えば、ＩＳＤＮデータ伝送チャネルＭＬＰ（Ｍｕｌｔｉ  ＬａｙｅｒＰｒｏｔｏｃｏｌ）を利用したＩＰデータの交換機能でＰＣプレゼンを遠隔ＰＣに対して行うシステムが普及してきている。
【０００４】
この流れは従来、互いに電子ホワイトボードに書き込んだ線画、文字情報の交換による会議から、マイクロソフト社のパワーポイント・ソフト等によるコンピュータ・プレゼンテーションのオンライン化への変化と言える。
【０００５】
このようなデータ会議システムにおけるオンライン・プレゼンテーションにおいては、その扱うデータ量の大きさから、リアルタイムに相手端末に画面を表示できないという問題がある。すなわち、データ会議システムで一般的に使用されるマイクロソフト社のパワーポイント・ソフト等を用いた場合、遠隔会議等の際に遠隔側へファイルが１ページ分づつ送信されるため、ＬＡＮ、ＩＳＤＮ等で相手側へ表示されるまでに時間がかかる。また、いわゆるページめくりが遅く、また、各ページの内容によってページめくりに要する時間がばらつき、使いづらいという問題があった。
【０００６】
このような問題点に関する従来技術として、ハイエンドＣＡＤデータを遠隔送信し、これを基に討議する際の時間遅れを改善する趣旨で提案された技術である特開平９−２９４２５５に開示された発明がある。特開平９−２９４２５５では、ワークステーション間においてもアプリケーション共有が可能なように動画、静止画データをファイル転送手段を用いて相手端末に送り、プレゼン時には各端末が同期して表示することが提案されている。
【０００７】
しかし、本提案は大量のデータをリアルタイム伝送する手段は開示されておらず、別途、物理的運搬を併用する等現実的な対応が示されているにすぎない。
【０００８】
また、特開平７−４９８３４には、バーチャル・ネットワーク・コンピューティング（ＶＮＣ）技術で遠隔のコンピュータのプログラムを走らせる方法が提案されている。特開平７−４９８３４においては、アプリケーションが起動されたホスト側コンピュータの画面出力を遠隔側へキャプチャー転送する際に、画面を静的な部分と添え書き等の動作部分に分け、オブジェクト構造体を１０個のパラメーターで送る方法が提案されている。
【０００９】
しかしながら、ビットマップデータを送信する必要があるアプリケーションを使用する場合の問題については考慮されていない。また、添え書き等のオブジェクトを扱うことに注意が払われ表示データを高速転送する手段については開示されていない。
【００１０】
更に、特開平１０−７９７７０には、大量画像情報からなる電子カルテを高速転送する発明が提案されている。この発明では、画像情報の一部をＳＧＭＬ／ＨＴＭＬでリンク記述し、読み出しワークステーションで、前記のリンク記述カルテを作成し、蓄積されたサーバーからリンク先のデータを読み出す。
【００１１】
しかしながら、これには専用サーバーを必要とし、また、１対１又は１対Ｎのリアルタイム性を要求するプレゼンテーションを実現する技術としては不向きである。
【００１２】
【発明が解決しようとする課題】
上述のように、従来技術では、データ会議システムで一般的に使用されるマイクロソフト社のパワーポイント・ソフト等を用いた場合において、表示画面が相手側へ表示されるまでに時間がかかるという問題は解決されていない。
【００１３】
本発明は上記の点に鑑みてなされたものであり、ＰＣ等を使用したデータ会議システムにおいてリアルタイムに共有画面表示を行う技術を提供することを目的とする。
【００１４】
【課題を解決するための手段】
上記の目的を達成するために、本発明は次のように構成することができる。
【００２５】
請求項１に記載の発明は、端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムであって、前記端末は、前記遠隔側の端末のディスプレイ表示解像度情報を記憶する記憶手段と、前記ディスプレイ表示解像度情報に基づいて、前記キャプチャーデータの解像度変換を前記表示画面の全体について行う解像度変換手段と、前記解像度変換手段により解像度変換されたキャプチャーデータを、前記遠隔側の端末に送信する送信手段と、を備えることを特徴とするデータ会議システムである。
【００２６】
本発明によれば、送信先の端末における表示をきれいに行うことができるとともに、解像度変換によるデータ削減によって表示速度を向上させることができる。
【００２７】
請求項２に記載の発明は、前記端末は、前記遠隔側の端末にディスプレイ表示解像度読出し要求を送信し、前記遠隔側の端末からの返答を受信する受信手段を備え、当該受信手段により受信した前記返答の内容を解析し、解析結果を前記遠隔側の端末のディスプレイ表示解像度情報として前記記憶手段に記憶することを特徴とする請求項１に記載のデータ会議システムである。
【００２８】
本発明によれば、本発明によれば、端末は遠隔側の端末の表示能力情報を自動的に得ることが可能となる。
【００２９】
請求項３に記載の発明は、前記遠隔側の端末は複数であり、前記解像度変換手段は、各遠隔側の端末のディスプレイ表示解像度情報に基づいて、前記キャプチャーデータの解像度変換を各遠隔側の端末毎に行うことを特徴とする請求項２に記載のデータ会議システムである。
【００３０】
本発明によれば、ページデータの表示相手が複数端末である場合でも、各端末に適した解像度のデータを送信することが可能になる。
【００３１】
請求項４に記載の発明は、前記端末は、前記解像度変換手段により解像度変換されたキャプチャーデータを圧縮するデータ圧縮手段を備え、前記送信手段は、前記データ圧縮手段により圧縮されたキャプチャーデータを、前記遠隔側の端末に送信することを特徴とする請求項１ないし３のうちいずれか１項に記載のデータ会議システムである。
請求項５に記載の発明は、前記解像度変換手段は、前記キャプチャーデータをビットマップ形式でメモリエリアに展開し、当該ビットマップ形式のキャプチャーデータに対して前記解像度変換を行うことを特徴とする請求項１ないし４のうちいずれか１項に記載のデータ会議システムである。
請求項６に記載の発明は、前記端末と前記遠隔側の端末はIP接続されていることを特徴とする請求項１ないし５のうちいずれか１項に記載のデータ会議システムである。
請求項７に記載の発明は、前記送信手段は、前記アプリケーションにおいてページ送り指示が行われたタイミングで、前記解像度変換されたキャプチャーデータを前記遠隔側の端末に送信することを特徴とする請求項１ないし６のうちいずれか1項に記載のデータ会議システムである。
請求項８に記載の発明は、前記送信手段は、バッファに格納された前時点のキャプチャーデータと現時点のキャプチャーデータとを所定のタイミングで比較することにより、前記解像度変換されたキャプチャーデータを前記遠隔側の端末に送信するタイミングを検出することを特徴とする請求項１ないし６のうちいずれか1項に記載のデータ会議システムである。
請求項９に記載の発明は、端末と当該端末に接続された遠隔側の端末とを有し、前記端末におけるアプリケーションによりディスプレイに表示される表示画面のデータをグラフィカル・デバイス・インターフェースによりキャプチャしたキャプチャーデータを前記遠隔側の端末に送信することにより、前記端末と前記遠隔側の端末間で表示画面を共有するデータ会議システムであって、前記端末は、前記遠隔側の端末のディスプレイ表示解像度情報を記憶する記憶手段と、前記ディスプレイ表示解像度情報に基づいて、前記キャプチャーデータの解像度変換を行う解像度変換手段と、前記解像度変換手段により解像度変換されたキャプチャーデータを、前記遠隔側の端末に送信する送信手段と、を備え、前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記遠隔側の端末に送信することを特徴とするデータ会議システムである。
請求項１０に記載の発明は、前記解像度変換手段は、前記表示画面を分割して得られる複数のエリアのうちの特定のエリアに変化点が発生したときに、前記キャプチャーデータの解像度変換を、前記表示画面の全体に対して行い、前記送信手段は、当該解像度変換されたキャプチャーデータを前記遠隔側の端末に送信することを特徴とする請求項１ないし８のうちいずれか１項に記載のデータ会議システムである。
請求項１１に記載の発明は、前記記憶手段には、前記ディスプレイ表示解像度情報に対応付けて、前記キャプチャーデータの変換に用いる解像度が記憶されており、前記解像度変換手段は、当該記憶手段に記憶された解像度を用いて前記キャプチャーデータの解像度変換を行うことを特徴とする請求項１ないし１０のうちいずれか１項に記載のデータ会議システムである。
請求項１２〜２１に記載の発明は、請求項１〜１１記載のデータ会議システムでの使用に適した端末であり、これらによっても上記と同様の作用効果を奏する。また、請求項２２〜２９に記載の発明は上記端末の処理を実行させるプログラムを記録した記録媒体であり、これらによっても上記と同様の作用効果を奏する。
請求項３０に記載の発明は、端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムであって、前記端末は、前記他の端末のディスプレイ表示解像度情報を記憶する記憶手段と、前記ディスプレイ表示解像度情報に基づいて、前記キャプチャーデータの解像度変換を前記表示画面の全体について行う解像度変換手段と、前記解像度変換手段により解像度変換されたキャプチャーデータを、前記他の端末に送信する送信手段と、を備えることを特徴とするデータ会議システムである。
請求項３１に記載の発明は、端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムであって、前記端末は、前記他の端末のディスプレイ表示解像度情報を記憶する記憶手段と、前記ディスプレイ表示解像度情報に基づいて、前記キャプチャーデータの解像度変換を行う解像度変換手段と、前記解像度変換手段により解像度変換されたキャプチャーデータを、前記他の端末に送信する送信手段と、を備え、前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記他の端末に送信することを特徴とするデータ会議システムである。
請求項３２に記載の発明は、端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末であって、前記他の端末のディスプレイ表示解像度情報を記憶する記憶手段と、前記ディスプレイ表示解像度情報に基づいて、前記キャプチャーデータの解像度変換を前記表示画面の全体について行う解像度変換手段と、
前記解像度変換手段により解像度変換されたキャプチャーデータを、前記他の端末に送信する送信手段と、を備えることを特徴とする端末である。
請求項３３に記載の発明は、端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末であって、前記他の端末のディスプレイ表示解像度情報を記憶する記憶手段と、前記ディスプレイ表示解像度情報に基づいて、前記キャプチャーデータの解像度変換を行う解像度変換手段と、前記解像度変換手段により解像度変換されたキャプチャーデータを、前記他の端末に送信する送信手段と、を備え、
前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記他の端末に送信することを特徴とする端末である。
請求項３４に記載の発明は、端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末に処理を実行させるプログラムを記録した記録媒体であって、前記端末は、前記他の端末のディスプレイ表示解像度情報を記憶する記憶手段を備えており、前記端末を、前記ディスプレイ表示解像度情報に基づいて、前記キャプチャーデータの解像度変換を前記表示画面の全体について行う解像度変換手段、前記解像度変換手段により解像度変換されたキャプチャーデータを、前記他の端末に送信する送信手段、として機能させるためのプログラムを記録した記録媒体である。
請求項３５に記載の発明は、端末と当該端末に接続された他の端末とを有し、前記端末におけるアプリケーションによりディスプレイに表示される表示画面のデータをグラフィカル・デバイス・インターフェースによりキャプチャしたキャプチャーデータを前記他の端末に送信するデータ会議システムにおける端末に処理を実行させるプログラムを記録した記録媒体であって、前記端末は、前記他の端末のディスプレイ表示解像度情報を記憶する記憶手段を備えており、前記端末を、前記ディスプレイ表示解像度情報に基づいて、前記キャプチャーデータの解像度変換を行う解像度変換手段、前記解像度変換手段により解像度変換されたキャプチャーデータを、前記他の端末に送信する送信手段、として機能させるためのプログラムを記録した記録媒体であり、前記解像度変換手段は、前記キャプチャーデータの解像度変換を、前記表示画面を分割して得られる複数のエリアのうちデータ変化の存在するエリアに対して行い、前記送信手段は、当該エリアの解像度変換されたキャプチャーデータを前記他の端末に送信することを特徴とするプログラムを記録した記録媒体である。
【００３２】
【発明の実施の形態】
［第１の実施例］
本発明の実施例で用いられるデータ会議システムの構成例を図１〜図４に示す。
【００３３】
図１に示す構成は、従来のテレビ会議システムに外部ＰＣ（パーソナルコンピュータ）をＩＰ接続しデータ会議する場合の装置構成であり、図２にその接続構成を示す。すなわち、マイク兼スピーカー２、リモコン３、テレビモニタ４、及びデータ会議用のパソコン５がテレビ会議システム本体１に接続される構成をとる。
【００３４】
また、図３に示す構成は、ＰＣ（パーソナルコンピュータ）を用い、ＰＣのＯＳ（Ｗｉｎｄｏｗｓ  ＯＳ）をベースに構成するデータ会議システムの構成例であり、パソコン６、７がＩＰ網８やＩＳＤＮ網９を介して接続される構成をとる。図３に示すデータ会議システムにおけるＰＣの接続構成を図４に示す。図４に示すように、図３に示すインターフェースボードによって、各種通信を行なうことが可能となっている。
【００３５】
これらのデータ会議システムは、ＰＣに搭載されるソフトウェアによりアプリケーション共有を実現する。そのソフトウェア構成の一従来例を図５に示す。図５に示す構成では、アプリケーション共有を実現するためのソフトウェアの例としてマイクロソフト社のＮｅｔｍｅｅｔｉｎｇが使用される。なお、アプリケーション共有の接続プロトコルとしては図６に示すようにＣＣＩＴＴ  Ｔ．１２０シリーズに準拠したプロトコルが使用される。
【００３６】
上記の構成における本発明の詳細構成を説明するにあたり、まず、従来技術の問題点に関する分析結果について説明する。
【００３７】
データ会議システムにおけるアプリケーション共有でマイクロソフト社のパワーポイントを使用した場合、そのページデータには、例えば図７に示すように、文章の文字情報と、スキャナー／デジタルカメラ等から読みこまれた添え図１と添え図２が含まれる。ここで、１ページの表示を送信側端末から行うと、そのページ情報は図５のソフトウェア処理群で点線に示す経路で相手側（遠隔側）に伝送されモニタ・ディスプレイに表示される。
【００３８】
この表示されるまでに要する時間を図３に示すデータ会議システムの構成で計測した値を図８に示す。同図において、上段が図３のＰＣ７からＰＣ６へデータ送信した場合の結果であり、下段がＰＣ６からＰＣ７にデータ送信した場合の結果である。
【００３９】
図８に示すように、ＩＳＤＮ接続した場合は１ページ目が相手端末に表示されるのに１７秒所用し、更に２ページ目は３５秒所用している。これは１ページ目がタイトル文字として１０文字程度記入された「表紙」であり、２ページ目、３ページ目は図３に示すような構成図が１６ビットカラーで構成された「添え図」をいくつか貼りあわせたページであり、２ページ目と３ページ目はページ当たりデータ量が多いためである。
【００４０】
普通、スキャナー／デジタルカメラから読みこまれた原画（元添え図１）の解像度は３００ＤＰＩ（ＰＰＩ）や６００ＤＰＩ（ＰＰＩ）である。一方、一般的なコンピュータ・ディスプレイである１７インチＣＲＴに１０２４×７６８ドットでＸＧＡ表示した場合の解像度は１００ＤＰＩ（ＰＰＩ）程度であるので、上記原画のデータは相手側ではめこまれたサイズで表示するには充分以上の解像度、つまりオーバースペックな解像度で保持されている。ここでページデータの作成時に添え図のデータを間引きし解像度を低下させておけば良いが、また他の用途に利用したり、このプレゼンデータのページ作成作業は創造性が要求される特性上、間引き処理等を行っていると思考集中が途切れる等の弊害があり実行されることはまれである。
【００４１】
上記の分析結果に鑑み、本発明では図９に示す「解像度変換処理」手段を用い、送信側でページデータを相手側端末の能力に合った解像度に変換し、相手側端末に送信する。
【００４２】
次に、この解像度変換処理について説明する。
【００４３】
まず、ページデータを図１０に示すように送信側で「仮想ディスプレイ・エリア」（ビットマップ形式でのメモリエリア）に展開し（ステップ１）、これを相手端末のディスプレイに応じた解像度に変換する（ステップ２）。変換は、図１１に示すような画像解像度／サイズと変換度対応表を参照して行う。例えば、ＰＡＮＥＬ番号６のＳＶＧＡ１０．４”パネルの場合、ページデータの解像度を９６ＰＰＩ（９６ＤＰＩ）に変換する。
【００４４】
そして、データ圧縮処理を行う（ステップ３）。データ圧縮はＪＰＥＧ、ＧＩＦ、ＴＩＦＦ、その他の従来技術を用いることができる。また、元添え図の圧縮形式と同じ形式にする場合と、別の形式にする場合がある。例えば、相手側の表示装置の表示色数が１２８色（７ビット）以下の場合にＪＰＥＧでは無駄なデータ量が発生するので、元添え図がＪＰＥＧであれば別の形式にする。
【００４５】
なお、従来は不必要な情報を送信していたので、上記のように解像度変換を行っても表示側では何ら画質劣化が起こらない。また、参考までに、図１２に、画像解像度とデータ量の例を示す。例えば、ＸＧＡパネルで１６ビットカラー表示する場合の１画面当りの情報量は１．５７２Ｍバイトである。
【００４６】
さて、ＰＣ等を使用したデータ会議システムでは、テレビ電話会議のように相手が常に固定相手ではないので、相手側のディスプレイ表示解像度情報を取得しておく必要がある。その手順について次に説明する。
【００４７】
相手側のディスプレイ表示解像度情報（表示能力）を取得する方法として、例えば、通信パスの設定毎に相手端末から取得する方法がある。その手順を図１３のフローチャートを用いて説明する。
【００４８】
ホスト側の端末と遠隔側の端末が接続した後、各端末でイニシャライズを行う（ステップ１１、ステップ１２）。遠隔側の端末では、自端末の能力を記憶装置に記憶しておき、ステップ２２にて能力宣言を行う。ホスト側の端末が能力読み出し要求（ステップ１２）を行うと、遠隔側の端末はその要求を受信し（ステップ２３）、応答をホスト側の端末に返送する（ステップ２４）。
【００４９】
ホスト側の端末がそれを受信し（ステップ１３）、遠隔側端末の能力解析を行い、記憶する（ステップ１４）。
【００５０】
また、一度通信した相手の能力情報を外部記憶エリアに記憶して２度目からは、この記憶した能力情報を使っても良い。更に、システムのインストール時に初期設定として利用者が相手情報を外部記憶エリアに記憶させてもよい。
【００５１】
また、利用者が適時、相手情報を外部記憶エリアに記憶させておいても良いし、通信パスの設定毎にキーボード等から入力設定することも可能である。例えば、データ会議の接続初期における音声、カメラ映像での挨拶等の時に「貴方のテレビはＸＧＡですか？」等の質問をし、答えを手動設定する。また、答えを音声認識処理し自動設定するようにしてもよい。上記のように、特定の相手と初めて通信した時だけ能力情報を相互交換し、それを手動設定し、２回目からは設定済み情報をデフォルト値として使用してもよい。更に、接続専用サーバーシステムで全ての接続を行い、その登録情報として接続アドレスの他に表示能力情報を登録しておきそれを利用することもできる。
【００５２】
なお、複数端末の表示能力を図１１に示す表形式にして記憶しておくことにより、解像度変換処理を複数の遠隔側端末に対して行い、それぞれの相手に最適な画像を伝送することが可能となる。
【００５３】
第１の実施例によって、アプリケーションのページデータを相手ディスプレイの解像度とサイズに合致させた状態にすることにより、ページ当たりのデータ量が最適最小になり、高速に表示ができるようになる。更に、表示に最適の解像度で相手側に美しく表示ができる。
【００５４】
また、本発明の技術は、遠隔地からＩＭＴ２０００のような携帯電話端末でＴＶ会議に参加し、その際にＰＣプレゼンデータを携帯電話端末の画面で見る場合においても利用可能である。
【００５５】
［第２の実施例］
第２の実施例では、特開平７−４９８３４に開示されているバーチャル・ネットワーク・コンピュータ（ＶＮＣ）技術により、第１の実施例におけるアプリケーション共有とは別の手段でアプリケーションの表示／実行を行わせるようにする。この技術では、遠隔側にある端末が、プログラムを実行させるホスト側端末に図１４の上部側の構成手段でアプリケーションを起動させ、そのディスプレイに表示されているデータを「グラフィカル・デバイス・インターフェース［ＧＤＩ］」によりキャプチャし、そのデータ（ホスト側で補足されたＷｉｎｄｏｗｓ情報の表示）を接続ＡＰＩ経由で、相手側に送信し、相手側で表示を行う。
【００５６】
特開平７−４９８３４に記載された技術では、基本的に静止画の背景データを基に、この上に書き込みを行うオブジェクト・データを遠隔側に伝送する手法について詳述しており、背景データとしてビットマップをデータ圧縮伝送する旨の説明があるが、その伝送タイミングについては開示されていない。
【００５７】
本実施例では、会議におけるプレゼンテーション・シーンにおいてスムーズなプレゼン資料の表示を実現するために、プレゼン資料のページを次々とページ送りするタイミングで、遠隔側にそのフィードバック画像を遅滞なく送るようにする。
【００５８】
そのフィードバックタイミングの検出は、アプリケーションのページ送り（次ページ、前のページ）指示を行った場合に、そのアプリケーションからトリガーを受けることによって行ったり、また、「ＧＤＩキャプチャ」の前時点のバッファと現時点のキャプチャ内容をあらかじめ決められたタイミングで比較することで行ってもよい。
【００５９】
ここで、ホスト側で例えば１０２４×７６８ビットのウィンドウ表示を行い、クライアントで６４０×４００ビットのＶＧＡウィンドウ表示を行った場合、図１５右下のようにハミダシ（隠れ表示）が発生する。このような場合、ユーザーがハミダシ部分を見るには画面を上下／左右にスクロールすることが必要である。また、場合によっては余白が発生する。
【００６０】
この問題を解決しクライアント側でハミダシ等なく画面表示するために、本実施例においては、第１の実施例で用いた解像度変換処理によりキャプチャーデータの解像度を遠隔側のディスプレイの能力に合わせて変換する。解像度変換処理を用いる場合の構成を図１６に示す。図１６に示すように、第１の実施例と同様にして解像度変換、データ圧縮を行う。なお、図１６に示す例では、２種類の遠隔端末に対する解像度変換、データ圧縮を行う例を示す。
この変換は画面全体を一度に行ってもよいし、また図９の右上に示したように、例えば表示データ１〜表示データ４のように分割処理してデータ変化の存在するエリアだけを伝送してもよい。
【００６１】
また、この変化検出をあらかじめ決められたタイミングで４分割検出するものと、特定の分割画面、例えば表示データ１の領域に変化点が発生すると、全画面分を変換処理し遠隔側に接続ＡＰＩを通して伝送するものとの組み合わせタイミングの処理も可能である。
【００６２】
上記の処理のために必要な解像度情報は、第１の実施例と同様にして取得することができる。
【００６３】
なお、本実施例においても、解像度変換処理を遠隔側対応に複数行うことにより、それぞれの相手に最適な画像を伝送することが可能である。
【００６４】
本実施例により、異なる表示能力のディスプレイを持つ遠隔側端末がホスト側にＶＮＣ接続しても、各遠隔側のディスプレイにホスト側のディスプレイ画像が正しく表示される。また、表示機（を制御するビデオコントローラ）の色再現能力が、例えば自端末が３２ビット色数で相手端末が１６ビットのようなケースでは解像度変換で色解像度を減退させることができるので、第１の実施例と同様に、大きなデータ削減効果を得ることができる。
【００６５】
［第３の実施例］
次に、本発明の第３の実施例について説明する。
【００６６】
図７におけるプレゼンテーション・データはその各ページ（Ｅ）毎に（Ｆ）の「元添え図」を含み、ディスプレイ表示にはオーバー・スペックな解像度情報であることを説明した。また、これまでの方法ではリアルタイムに図１０の「仮想ディスプレイへ展開するステップ」と「解像度変換処理を行うステップ」でページ情報を伝送する手法を説明した。
【００６７】
本実施例では、複数ページ分について「仮想ディスプレイへの展開」と「解像度変換処理」を一括で行い、各ページに対するインデックスタグ情報を生成し、会議シーンにおけるプレゼンの開始前に、ページデータを各会議参加端末に送信しておき、生成したインデックスタグ情報により表示指示を行うようにする。本実施例における処理のフローを図１７に示す。
【００６８】
ユーザの操作等によりホスト側でプレゼンデータ転送が開始されると（ステップ３１）、これまでに説明した解像度変換・圧縮処理と同様にしてプレゼンデータの解像度変換・圧縮が行われ（ステップ３２）、ページタグが付された後に（ステップ３３）、遠隔側端末へのデータ格納指示が出される（ステップ３４）。
【００６９】
遠隔側では、上記の処理が施されたデータを受信し（ステップ４１）、タグデータを分離して格納する（ステップ４２）。そして、プレゼンデータを格納し（ステップ４３）、格納完了通知をホスト側に対して行う（ステップ４４）。
【００７０】
ホスト側では、格納完了通知を受信し（ステップ３５）、その旨を表示し（ステップ３６）、データ会議の際に、インデックスタグによるページ表示指示を遠隔側端末に対して行う（ステップ３７）。そして、遠隔側端末では、ページタグに対応するデータが表示される。
【００７１】
なお、相手端末の表示能力の取得は第１の実施例と同様にして行うことができる。タグによる表示指示方法は公知であり、例えば、特開平１０−７９７７０に記載されたようにＳＧＭＬ／ＨＴＭＬタグで行うことができる。
【００７２】
本実施例でも、ページデータが解像度変換されるので、複数ページをまとめて送信する場合でも高速に相手側端末に送ることができる。
【００７３】
本実施例のように、接続相手の端末に直接データを送り込む方法はエンドツーエンドの処理となり、例えば、始めの「ご挨拶時間」等で時間稼ぎをする必要があり操作性に問題がでる可能性がある。また、伝送路容量が小さい経路が存在する場合には、データ送信に非常に時間がかかる可能性がある。
【００７４】
そこで、図１８に示すように、接続相手のアドレス、電話番号、在席、不在情報、表示能力等を管理するサーバーを地域ごとに分散配置する大規模なネットワーク構成を採用することができる。例えば、各サーバーは自分が収容している端末の表示能力等を保持し、管理する。
【００７５】
この構成において、接続の前のプレゼンリハーサルで通信相手を仮想接続し、相手端末に最も近い、又は直接収容されているサーバーにプレゼン表示データ（ウィンドウデータ）を先送りしておく。
【００７６】
すなわち、図１７に示すシーケンスにおけるホスト側端末と遠隔側端末の間の上記サーバーが介在し、当該サーバーがホスト側からプレゼンデータを受信する構成となる。そして、ホスト側端末からインデックスタグによるページ表示の指示があると、そのサーバーが、遠隔側端末の表示能力に応じた解像度変換処理を行い、変換された画面データを遠隔側端末に送信する。
【００７７】
すなわち、送り元端末から先方のサーバー間は非圧縮（非解像度変換）転送、先方側サーバーと先方端末間は本発明の解像度変換＋圧縮を行う（先方側サーバーで解像度変換＋圧縮を行う）。そして、本発明の解像度変換処理により相手端末に最も近いサーバーとその端末間とのデータ転送を速く行うことが可能になる。
【００７８】
なお、上記の各実施例における端末、ホストコンピュータ、サーバー等の処理はコンピュータに本発明の処理を実行するＣＤ−ＲＯＭ等に格納されたプログラムをインストールすることによって実現することができる。
【００７９】
本発明は、上記の実施例に限定されることなく、特許請求の範囲内で種々変更・応用が可能である。
【００８０】
【発明の効果】
上記のように本発明によれば、ウィンドウ画面データ送信側からデータ送信相手のディスプレイ解像度に合ったデータを送信することとなるので、従来のように必要以上に解像度の高いデータを送信することがなくなり、受信側でのページ表示速度を向上させることが可能になる。
【００８１】
また、ウィンドウキャプチャされた表示画面データを送信する構成においては、本発明の解像度変換処理により、送信先の端末における表示をきれいに行うことができるとともに、解像度変換によるデータ削減によって表示速度を向上させることができる。
【００８２】
【図面の簡単な説明】
【図１】  テレビ会議システムを用いたデータ会議システムの構成例を示す図である。
【図２】図１に示すデータ会議システムの接続構成である。
【図３】ＰＣをベースに構成するデータ会議システムの構成例を示す図である。
【図４】図３に示すデータ会議システムの接続構成を示す図である。
【図５】データ会議システムにおけるＰＣ端末のソフトウェア構成例を示す図である。
【図６】Ｔ．１２０に記述されているデータ会議システムのプロトコル構成の一部を示す図である。
【図７】ページデータの構成例を示す図である。
【図８】図３に示すデータ会議システムの構成における画面表示時間例を示す図である。
【図９】ＰＣ端末のソフトウェア構成における解像度変換処理の位置を示す図である。
【図１０】解像度変換処理・圧縮処理を説明するための図である。
【図１１】画像解像度／サイズと変換度対応表を示す図である。
【図１２】画像解像度とデータ量の例を示す図である。
【図１３】相手側のディスプレイ表示解像度情報（表示能力）を取得するための手順を示す図である。
【図１４】ＶＮＣにおける構成を示す図である。
【図１５】ＶＮＣ技術において、異なる解像度のディスプレイへ同一キャプチャデータを送信した場合の問題を説明するための図である。
【図１６】ＶＮＣにおけるキャプチャデータの解像度変換位置を示す図である。
【図１７】インデックスタグを用いてプレゼンを行う場合の例における処理の手順を示す図である。
【図１８】サーバーを地域ごとに分散配置する構成例を示す図である。
【符号の説明】
１  テレビ会議システム本体
２  マイク兼スピーカー
３  リモコン
４  テレビモニタ
５  データ会議用パソコン
６、７  パソコン
８  ＩＰ網
９  ＩＳＤＮ網
【図１】
0004738628.tif 000002
【図２】
0004738628.tif 000003
【図３】
0004738628.tif 000004
【図４】
0004738628.tif 000005
【図５】
0004738628.tif 000006
【図６】
0004738628.tif 000007
【図７】
0004738628.tif 000008
【図８】
0004738628.tif 000009
【図９】
0004738628.tif 000010
【図１０】
0004738628.tif 000011
【図１１】
0004738628.tif 000012
【図１２】
0004738628.tif 000013
【図１３】
0004738628.tif 000014
【図１４】
0004738628.tif 000015
【図１５】
0004738628.tif 000016
【図１６】
0004738628.tif 000017
【図１７】
0004738628.tif 000018
【図１８】
0004738628.tif 000019